(57)【特許請求の範囲】
【請求項１】
両側に取付溝を有するランプソケットと、先端が前記取付溝に嵌合する一対のかぎ部を切起こしにより形成した１灯用ソケット台を有するソケット台本体と、このソケット台本体の前記１灯用ソケット台の両側に形成された２灯用ソケット台とを備え、前記２灯用ソケット台はそれぞれ先端が前記取付溝に嵌合する一対のかぎ部を切起こしにより形成し、かつ前記１灯用ソケットに近い側が低く遠い側が高く形成され、前記ランプソケットが前記１灯用ソケット台または前記２灯用ソケット台に選択的に装着されること特徴とする照明器具。
【請求項２】
両側に取付溝を有するランプソケットと、ソケット台本体と、前記取付溝に嵌合する一対のかぎ部のあるソケット台を有し前記ソケット台本体に固定されて前記ソケット台を移動可能に案内するレールを有し前記一対のかぎ部に前記取付溝を嵌合することにより前記ランプソケットの後端部が前記レールに圧接する第１の取付部と、前記レールの長手方向の端部に並んで前記ソケット台本体に一体に形成され前記取付溝に嵌合する一対のかぎ部を有する第２の取付部とを備え、１灯用の場合前記ソケット台を前記第２の取付部側に移動し、２灯用の場合前記ソケット台を前記第２の取付部から離れた位置に移動することを特徴とする照明器具。
【請求項３】
一対の係止フックを有するソケット台と、前記係止フックを嵌合する一対の長孔を形成した第１の取付部を有するソケット台本体と、このソケット台本体の前記第１の取付部の両側に位置しそれぞれ前記係止フックを嵌合する一対の長孔からなる第２の取付部とを備え、前記第２の取付部の各々の一対の長孔のうち、前記第１の取付部側の前記長孔は前記第１の取付部の前記一対の長孔の間に位置し、前記ソケット台を前記第１の取付部または前記第２の取付部に選択的に取付けることを特徴とする照明器具。
【発明の詳細な説明】
【０００１】
【産業上の利用分野】
この発明は、照明器具に関するものである。
【０００２】
【従来の技術】
従来例を図３３ないし図３４に示す。すなわち、この照明器具は、システム天井のＴバー（図示せず）の頭部に係止する一対のサイドチャンネル２１０と、サイドチャンネル２１０をＴバーに固定するＴバー取付脚２１１と、サイドチャンネル２１０間を連結するソケット台２１２と、サイドチャンネル２１０に架設された安定器ボックス２１３と、両側がＴバーのつば間に架載される反射板２１４と、エンドプレート２１５と、ソケット台２１２に取付けられるランプソケット２１６とを備えている。
【０００３】
ランプソケット２１６は直管状ランプを装着するものであり、ソケット台２１２には１灯用としての直管状ランプ２１６を装着するための第１のランプソケット取付部２０１を器具本体の中心すなわちソケット台２１２の中心に有するとともに、２灯用として使用する場合の増灯を可能にするため、第１のランプソケット取付部２０１の両側にそれぞれ第２のランプソケット取付部２０２を有している。
【０００４】
図３３の照明器具は１灯用であるが、これを２灯用に切り換える場合、ランプソケット２１６を第１のランプソケット取付部２０１から外して第２のランプソケット取付部２０２に取付け、他の第２のランプソケット取付部２０２に別のランプソケットを取付けて使用する。
【０００５】
【発明が解決しようとする課題】
しかし、この照明器具は、２灯使用の場合、２灯間のピッチが広く意匠上好ましくなかった。またＴバー間が狭くすなわち器具本体の幅が狭いため、第１のランプソケット取付部２０１および第２のランプソケット取付部２０２を並べることができない場合には、２灯に増灯する構成をとることができないという欠点があった。
【０００６】
したがって、この発明の目的は、２灯間が広くならず、しかも器具本体の幅が狭くても２灯に増灯することが可能な照明器具を提供することである。
【０００７】
【課題を解決するための手段】
請求項１の照明装置は、両側に取付溝を有するランプソケットと、先端が前記取付溝に嵌合する一対のかぎ部を切起こしにより形成した１灯用ソケット台を有するソケット台本体と、このソケット台本体の前記１灯用ソケット台の両側に形成された２灯用ソケット台とを備え、前記２灯用ソケット台はそれぞれ先端が前記取付溝に嵌合する一対のかぎ部を切起こしにより形成し、かつ前記１灯用ソケットに近い側が低く遠い側が高く形成され、前記ランプソケットが前記１灯用ソケット台または前記２灯用ソケット台に選択的に装着されること特徴とするものである。
【０００８】
請求項２の照明器具は、側に取付溝を有するランプソケットと、ソケット台本体と、前記取付溝に嵌合する一対のかぎ部のあるソケット台を有し前記ソケット台本体に固定されて前記ソケット台を移動可能に案内するレールを有し前記一対のかぎ部に前記取付溝を嵌合することにより前記ランプソケットの後端部が前記レールに圧接する第１の取付部と、前記レールの長手方向の端部に並んで前記ソケット台本体に一体に形成され前記取付溝に嵌合する一対のかぎ部を有する第２の取付部とを備え、１灯用の場合前記ソケット台を前記第２の取付部側に移動し、２灯用の場合前記ソケット台を前記第２の取付部から離れた位置に移動することを特徴とするものである。
【０００９】
請求項３の照明器具は、一対の係止フックを有するソケット台と、前記係止フックを嵌合する一対の長孔を形成した第１の取付部を有するソケット台本体と、このソケット台本体の前記第１の取付部の両側に位置しそれぞれ前記係止フックを嵌合する一対の長孔からなる第２の取付部とを備え、前記第２の取付部の各々の一対の長孔のうち、前記第１の取付部側の前記長孔は前記第１の取付部の前記一対の長孔の間に位置し、前記ソケット台を前記第１の取付部または前記第２の取付部に選択的に取付けることを特徴とするものである。
【００１３】
【作用】
請求項１の照明器具によれば、１灯用ソケット台の両側に１灯用ソケット台側に傾いた姿勢で一対の２灯用ソケット台を設けたため、これらに選択的にランプソケットを取付けることにより、器具本体の幅が狭くても１灯用ソケット台と２灯用ソケット台とを相干渉することなく２灯の増灯が可能となる。しかも２灯用ソケット台にランプソケットを取付け、直管状ランプを装着すると直管状ランプは相接近するので、ランプ間隔が狭くなり意匠上も好ましい。
【００１４】
請求項２の照明器具によれば、ランプソケットを取付けたソケット台を１灯用位置と２灯用位置との間を移動可能となるように取付けた第１の取付部を有するとともにランプソケットを取付ける第２の取付部を有するため、器具本体の幅が狭くても２灯に増灯することが可能となり、意匠上も好ましくなる。
請求項３の照明器具によれば、ソケット台を着脱自在に取付ける第１の取付部と、ランプソケットを第１の取付部に取付けた場合のランプソケットの位置に、第２の取付部に取付けられたランプソケットの一部が重なるように第１の取付部の両側に設けられる第２の取付部とを有するため、器具本体の幅が狭くても２灯に増灯することが可能となり、意匠上も好ましくなる。
【００１７】
【実施例】
この発明の第１の実施例を図１ないし図７により説明する。すなわち、この照明器具は、ランプソケット１と、器具本体２とを有する。
ランプソケット１は直管蛍光ランプなどの直管状ランプを装着する。実施例のランプソケット１は両側部に取付溝３を形成している。１１は端子部である。
【００１８】
器具本体２は、ランプソケット１を着脱可能に取付ける１灯用ソケット台４を有するとともに、この１灯用ソケット台４と選択的にランプソケット１を着脱可能に取付けるものであって、１灯用ソケット台４の両側に１灯用ソケット台４と並列に配置されて１灯用ソケット台４側に傾いた姿勢で一対のランプソケット１′を取付ける一対の２灯用ソケット台５を有する。
【００１９】
実施例の１灯用ソケット台４および２灯用ソケット台５は図５に示すように、ソケット台本体６に一体に形成されている。１灯用ソケット台４はソケット台本体６に切起しによりかぎ形に一対形成されて、その先端部４ａがランプソケット１の取付溝３に係止可能になっている。２灯用ソケット台５もソケット台本体６に切起しによりかぎ形に形成されているが、１灯用ソケット台４に近い側が低く、遠い側が高く形成され、その先端部５ａ同志が斜めに向き合うように折曲され、一対のランプソケット１′がそれぞれ２灯用ソケット台５のかぎ形の先端部５ａに取付け可能である。この取付け状態ではランプソケット１′は相互に相接近した状態に傾き、１灯用ソケット台４のランプソケット１に一部重なる程度の姿勢をとる。
【００２０】
実施例の器具本体２は、図３および図４に示すように、システム天井の一対のＴバー７の頭部７ａに係止する側部取付部８を有し、この側部取付部８のＴバー７の長手方向の両端部に一対のソケット台本体６が架設されて構成されている。また側部取付部８の中間部に安定器ブロック９が架設されている。また逆樋状の反射板１０の両側部をＴバー７のつば７ｂ間に架設している。
【００２１】
ランプソケット１，１′は、１灯用ソケット台４および２灯用ソケット台５のいずれかに選択的に取付けられる。すなわち、図３は１灯用の場合であり、ランプソケット１はその取付溝３が１灯用ソケット台４のかぎ部の先端部４ａに係止して取付られる。図４は２灯用の場合であり、１灯用に用いたランプソケット１を外して、このランプソケット１を含む一対のランプソケット１′の取付溝３が２灯用ソケット台５の先端部５ａに係止して取付けられる。この場合、ランプソケット１′の直管状ランプ（図示せず）を装着する先端部は１灯用ソケット台４にランプソケット１を装着したときの先端部に図１に示すように一部重なるように設けられているため、反射板１０を１灯用のものと共用でき、器具本体２の幅も広げる必要がない。
【００２２】
この実施例によれば、１灯用ソケット台４の両側に１灯用ソケット台４側に傾いた姿勢で一対の２灯用ソケット台５を設けたため、これらに選択的にランプソケット１，１′を取付けることにより、器具本体２の幅が狭くても１灯用ソケット台４と２灯用ソケット台５とを相干渉することなく２灯の増灯が可能となる。しかも２灯用ソケット台５にランプソケット１′を取付け、直管ランプ状を装着すると直管状ランプは相接近するので、ランプ間隔が狭くなり意匠上も好ましい。
【００２３】
また、この実施例は、増灯時に部品の追加もなく、ランプソケット１，１′をワンタッチで取替えることができる。
この発明の第２の実施例を図８ないし図１１に示す。すなわち、この照明器具は、ソケット台１６に直管状ランプを装着するランプソケット１を取付けているが、実施例のソケット台１６は図１０に示すように、平板の両端を内向きに折曲してかぎ部１７を形成し、平板の一対角線上のコーナ部にかぎ部１７の付根を含む切欠１８を形成し、他対角線上のコーナ側のかぎ部１７の立上りに係合溝４０を形成している。そして、平板の切欠１８の切欠間距離４１を所定値に設定している。かぎ部１７に係止するランプソケット１，１′の取付溝３は第１の実施例と同様である。
【００２４】
また器具本体２のソケット台本体６は、図８に示す１灯用位置１２と図９に示す２灯用位置１３との間を直管状ランプの径方向に移動可能にソケット台１６を取付けた第１の取付部１４を有するとともに、１灯用位置１２を間にして２灯用位置１３と反対側で第１の取付部１４に並列に配置されたランプソケットの第２の取付部１５を有する。実施例の第１の取付部１４は、断面逆Ｌ字形のレール２０により形成され、ソケット台本体６に切起しにより形成されている。このレール２０に挿入可能な最小間隔は切欠間距離４１よりも大きく設定している。また第２の取付部１５はレール２０の長手方向の両端部に一対のかぎ部１７からなり、ソケット台本体６に一体に形成されている。
【００２５】
図１０は１灯用使用の場合であり、図１０（ａ）はソケット台１６をレール２０の第１の取付部１４側に挿入する前の状態である。同図（ｂ）はソケット台１６を矢印方向４２に約４５度水平回転して、切欠間距離４１の方向をレール２０の幅方向に合わせて矢印方向４３にソケット台１６を挿入する。挿入後ソケット台１６をもとの位置に回転して係合溝４０をレール２０に係合している。この状態でランプソケット１の取付溝３をかぎ部１７に係止することにより、ランプソケット１の後端部がレール２０の表面に圧接するのでランプソケット１およびソケット台１６が固定される。またソケット台１６を取り外すときは、ランプソケット１を外したのち矢印方向４２に約４５度ソケット台１６を水平回転して、切欠間距離４１の方向をレール２０の幅方向に合わせて矢印４３′の方向に移動する。
【００２６】
図１１は２灯使用の場合であり、同図（ａ）はソケット台１６を矢印方向４４に移動してソケット台１６をレール２０の端部に位置した状態であり、同図（ｂ）はレール２０の端部にソケット台１６を挿入した状態である。このソケット台１６のかぎ部１７にランプソケット１′の取付溝３を係止することによりランプソケット１′およびソケット台１６が固定されるとともに、第２の取付部１５に別のランプソケット１′を取付けると、２灯が設けられたこととなる。
【００２７】
２灯使用の場合、ランプソケット１をソケット台１６から外した状態でソケット台１６を図１０（ｂ）の状態からレール２０に沿って直接移動してもよい。
その他、第１の実施例と共通する部分は第１の実施例と同様であるので共通部分の説明を省略する。
この実施例によれば、ソケット台１６が１灯用位置２と２灯用位置１３との間を移動可能なため、２灯使用時の第２の取付部１５と２灯用位置１３との間の距離を短くすることができるので、第１の実施例の作用効果と同様に、器具本体２の幅が狭くても２灯に増灯することが可能となり、意匠上も好ましくなる。
【００２８】
また、この実施例は、レール２０に沿ってソケット台１６を移動することにより、増灯の作業性が容易になる利点がある。
なお、第２の実施例の変形例として、図１１（ｂ）のようにレール２０の端部にソケット台１６を挿入して、ソケット台１６にランプソケット１を係止することによりソケット台１６をレール２０に固定して２灯使用するとともに、この状態からランプソケット１を外してレール２０に沿ってソケット台１６を移動して再度ランプソケット１をソケット台１６に取付けることにより１灯使用するように構成してもよい。
【００２９】
この発明の第３の実施例を図１２ないし図１５に示す。すなわち、この照明器具は、ソケット台２６に直管状ランプを装着するランプソケット１を取付け、このソケット台２６を着脱可能に取付ける第１の取付部２４を有し、この第１の取付部２４と選択的にソケット台２６を着脱可能に取付けるものであって、第１の取付部２４の両側に第１の取付部２４と並列に設けられた一対の第２の取付部２５を器具本体２のソケット台本体６に有する。
【００３０】
実施例のソケット台２６は平板の両側を同じ側に折曲してかぎ部１７を形成するとともに、平板の反対側に一対の係止フック２７を切起しにより形成している。第１の取付部２４および第２の取付部２５は、それぞれ係止フック２７が係止する一対の長孔を実施例としている。この場合、ランプソケット１が第１の取付部２４に取付けられたときのランプソケット１の両側の位置に、第２の取付部２５に取付けられたランプソケット１′が一部重なるように、第２の取付部２５の位置を第１の取付部２４に対して設定しており、実施例では図１４および図１５に示すように、第１の取付部２４の内側に一対の第２の取付部２５の各内側の孔を位置させている。
【００３１】
図１４（ａ）は図２に示す１灯用の場合であり、ソケット台２６の係止フック２７を第１の取付部２４の長孔の一端部に係止した状態である。この状態でかぎ部１７にランプソケット１を取付けることにより、ソケット台２６がソケット台本体６に固定される。同図（ｂ）は取外し過程でソケット台２６を矢印方向Ａ１  に長孔に沿って移動して長孔の一端部の係止を解除した状態であり、その状態から同図（ｃ）の矢印Ａ２  のようにソケット台２６を外している。したがって、ソケット台２６を取付ける場合は、同図（ｃ）から逆に同図（ａ）に至る操作を行なうことにより、ソケット台２６の係止フック２７を第１の取付部２４の長孔に係止することができる。
【００３２】
図１５は図１３に示す２灯用の場合であり、同図（ａ）は一対のソケット台２６，２６′をソケット台本体６に対向した状態であり、同図（ｂ）は係止フック２７を第２の取付部２５に挿入した状態である。同図（ｃ）はさらにソケット台２６，２６′を長孔の長手方向に移動することにより係止フック２７を係止した状態である。この状態で各ソケット台２６，２６′のかぎ部１７にランプソケット１，１′の取付溝３を係止する。その他は、第１の実施例と同様である。
【００３３】
この実施例によれば、増灯時のランプソケット１′の間隔を狭めることができるので、器具本体２の幅が狭くても増灯可能となり、第１の実施例と同様な作用効果がある。
図１６はこの第３の実施例の変形例であり、ソケット台２６の係止フック２７′が逆Ｔ字形に形成されたものである。この変形例は第１の取付部２４または第２の取付部２５の長孔に係止フック２７′を挿入し、長孔の一端部に移動して係止するが、ソケット台２６を前後反転しても同様に挿入できるので挿入作業が容易になる利点がある。
【００３４】
この発明の第４の実施例を図１７ないし図２０に示す。すなわち、この照明器具は、ランプソケット１の両側に被保持部４６を有して直管状ランプを装着するが、この被保持部４６は取付溝３を実施例としている。一対の保持具２８でランプソケット１の被保持部４６を着脱自在に保持するが、実施例では平板を略Ｚ字形に折曲して、その一片をかぎ部１７とすることにより取付溝３に係止可能にし、保持具２８の他片に逆Ｔ字形の係止フック２７′を形成している。
【００３５】
器具本体２のソケット台本体６は、保持具２８を着脱自在に取付ける一対の第１の取付部３１を有するとともに、一対の第１の取付部３１と選択的に取付けられるものであって一対の第１の取付部３１の間に位置して保持具２８を着脱自在に取付ける一対の第２の取付部３２を有し、さらに第２の取付部３２に取付けられた保持具２８の各々に第１の取付部３１を間にして対向配置されて一対のランプソケット１′をそれぞれ保持する一対の増灯用保持具３３を有する。
【００３６】
第１の取付部３１および第２の取付部３２は十字形孔３０の十字の一方向の両端に形成し両者間の中央部を広幅部３０ａとしている。この場合、逆Ｔ字形の係止フック２７′の頭部の幅が十字形孔３０の広幅部３０ａよりも狭いが第１の取付部３１および第２の取付部３２の幅よりも大きく形成し、かつ係止フック２７′の首部の幅を第１の取付部３１および第２の取付部３２の幅よりも小さく形成してる。したがって、係止フック２７′の頭部を広幅部３０ａに挿入し、首部を第１の取付部３１または第２の取付部３２に挿入することにより第１の取付部３１または第２の取付部３２に保持具２８が取付けられる。
【００３７】
また増灯用保持具３３は、ソケット台本体６に切起しにより形成される先端にフック部１７を形成している。
図１９（ａ）は図１７に示す１灯用の場合であり、一対の保持具２８のフック部１７を相対向するように一対の保持具２８が第１の取付部３１に取付けられており、保持具２８のかぎ部１７にランプソケット１の取付溝３が係止してランプソケット１が取付けられている。同図（ｂ）は保持具２８を取り外すため、係止フック２７′を十字形孔３０の広幅部３０ａに移動した状態である。同図（ｃ）は十字形孔３０の広幅部３０ａにから保持具２８を矢印の方向に引き抜いた状態であり、これにより保持具２８が取り外される。また保持具２８を取付ける場合は同図（ｃ）から逆に同図（ｂ），（ａ）の順序で保持具２８を操作することにより取付けることができる。
【００３８】
図２０（ａ）は図１８に示す２灯用の場合であり、保持具２８のかぎ部１７を図１９と反対向きに水平回転した状態である。同図（ｂ）はこの状態から矢印のように係止フック２７′を十字形孔３０の広幅部３０ａに挿入した状態である。同図（ｃ）はさらに係止フック２７′を第２の取付部３２に係止した状態である。このとき、各保持具２８は増灯用保持具３３と対向し、保持具２８と増灯用保持具３３との間に各ランプソケット１′，１′が取付けられる。
【００３９】
その他は、第１の実施例と同様である。
この実施例によれば、増灯時にランプソケット１′，１′の間隔を狭めることができるので、器具本体２の幅が狭くても増灯が可能となり、第１の実施例と同様の作用効果がある。
なお、保持具２８のかぎ部１７を一方向のみに形成したが、かぎ部１７を互いに反対向きに２方向に形成してもよい。この場合、１灯用から２灯用に変換する場合に保持具２８を反転することなく第１の取付部３１から第２の取付部３２に移動することができる。
【００４０】
この発明の第５の実施例を図２１ないし図２４に示す。すなわち、この照明器具は、ソケット台３６に直管状ランプを装着するランプソケット１を取付ける。このソケット台３６は平板の両端を同じ側に折曲して先端にかぎ部１７，１７′を形成している。このとき、かぎ部１７′はかぎ部１７よりも長く形成している。またランプソケット１は両側の取付溝３をかぎ部１７，１７′に係止して取付ける。
【００４１】
また器具本体２のソケット台本体６は、１灯用位置１２と２灯用位置１３との間を回動移動可能にソケット台３６を取付ける取付軸部５０を有するとともに、１灯用位置１２を間にして２灯用位置１３と反対側に取付軸部５０と並列に配置された増灯用ソケット台３７を有する。
実施例の取付軸部５０はたとえばリベットを実施例とし、取付軸部５０をかぎ部１７側に偏心した位置でソケット台本体６に回動自在に取付けている。また増灯用ソケット台３７はソケット台本体６に切起しにより形成され、先端に係止フック１７を形成している。
【００４２】
図２１および図２３は１灯用の取付状態であり、ソケット台３６のかぎ部１７′が第２の取付部３７から離れた側となる位置にあり、ランプソケット１の取付溝３がソケット台３６のかぎ部１７，１７′に取付けられている。
図２２および図２４は２灯用の取付状態であり、ソケット台３６が取付軸部５０を中心に１８０度回転し、このソケット台３６および増灯用ソケット台３７にランプソケット１′をそれぞれ取付けている。その他は、第１の実施例と同様である。
【００４３】
この実施例によれば、取付軸部５０にソケット台３６を回動自在に取付けることにより、１灯用位置１２と２灯用位置とを接近することができるので、器具本体２の幅を狭くしても増灯が可能となり、第１の実施例と同様な作用効果がある。
なお、増灯用ソケット台３７はソケット台本体６に着脱自在に設けて増灯時に取付けるようにしてもよい。またソケット台３６の取付軸部５０はかぎ部１７側に偏心した位置に取付けてもよい。
【００４４】
この発明の第６の実施例を図２５ないし図２８に示す。すなわち、この照明器具は、第５の実施例において、ソケット台３６′が９０度回転して１灯用位置１２と２灯用位置１３とに移動できるように構成している。このソケット台３６′は、平板の両側部に立上り部５１を折曲し、立上り部５１の両端をさらに高くするとともに対向側部に向いたかぎ部５２ａ，５２ｂ，５３ａ，５３ｂを形成している。かぎ部５２ａはかぎ部５２ｂ側に延出した延出部５４を有し、かぎ部５２ｂはかぎ部５２ａ側に延出した延出部５５を有する。またかぎ部５３ａはかぎ部５２ａと延出部５４を含めた幅と略同じ幅を有し、かぎ部５３ｂもかぎ部５２ｂと延出部５５を含めた幅と同じ幅を有する。また取付軸部５０はたとえばリベットを平板のコーナ部のかぎ部５３ｂの近傍をソケット台本体６に取付けている。
【００４５】
図２７は１灯用の場合であり、ランプソケット１の取付溝３は片側が延出部５１を含むかぎ部５２ａの先端部および延出部５５を含むかぎ部５２ｂのの先端部に係止し、取付溝３の他の片側がかぎ部５３ａ，５３ｂの先端部に係止して取付けられる。その取付状態が図２５である。
図２８は取付軸部５０を中心にして図２７の状態からソケット台３６′を９０度回動した状態である。このとき、ランプソケット１の取付溝３は片側がかぎ部５２ｂの延出部５５とかぎ部５３ｂに係止し、取付溝３の他の片側がかぎ部５２ａの延出部５４とかぎ部５３ａに係止する。その他は第５の実施例と同様であるが、第５の実施例と比較してソケット台３６′の回転角度が小さくなる。
【００４６】
この発明の第７の実施例を図２９ないし図３２により説明する。すなわち、この照明器具は、ソケット台５７が２灯並列に並んだ直管状ランプを端部で装着する一対のランプソケット１を取付可能な一対の保持部５８，５９を有する。これらの保持部５８，５９は、平板の両端部を折曲して相対向する一対のかぎ部１７を形成するとともに、一対のかぎ部１７の中間部に切起しにより各かぎ部１７にそれぞれ対向するかぎ部１７を形成することにより、形成されている。また平板の一側部に段曲げ部６０を形成するとともに、他側部にスライド用延出片６１を形成している。
【００４７】
一方、器具本体２のソケット台本体６はランプソケット１の一方が２灯用位置から１灯用位置に移動可能となるようにソケット台５７を移動自在に取付けている。実施例では段曲げ部６０を挿入する溝６２を底面６４に形成し、スライド用延出片６１を支持する切起し片６３を側板６５に形成している。
図２９は、ソケット台５７の一方にランプソケット１を取付けた１灯用であり、段曲げ部６０を溝６２に係合し、スライド延出片６１を切起し片６３に押し込むことによりソケット台５がスライド自在に支持される。ソケット台５を溝６２に沿って移動することによりランプソケット１を器具本体２の中心に位置することができる。
【００４８】
２灯に増灯する場合は、ソケット台５２の保持部５８，５９に２個のランプソケット１を取付け、２個のランプソケット１が器具本体２のの中心軸に対して対称となるようにソケット台５７を移動する。また増灯ユニットたとえば安定器を板金で覆いそこから延ばしたランプ線の先にランプソケットが付いたものを器具本体２に固定する。なお、もし万が一ソケット台５７をスライドするのを忘れても、ランプソケット１とエンドプレートの穴位置が合わなかったり、差し込めたとしても直管状ランプが斜めになったりずれたりして、すぐスライドし忘れたことに気付くので大事には至らない。
【００４９】
その他は、第１の実施例と同様である。
この実施例によれば、一対のランプソケット１を保持可能なソケット台５７を器具本体２に移動自在に設けたため、器具本体２の幅が狭くても増灯可能になる。また点灯本数を変更するとき、継続して使用するランプソケット１は抜き差ししなくてもよいので、施工のスピードアップが図れ、省施工となる。
【００５０】
また継続して使用するランプソケット１′は抜き差しせず、その一対のランプソケット１は同じ方向にしか動かないので、注意深く施工しなくてもランプ配線がクロスすることがない。たとえば、図３１は正常な配線であるが、図３３に示す従来例のように中央のランプソケットを抜いて左側のソケット台に差込み、追加のランプソケットを右側のソケット台に差込むやり方では図３２に示すようにクロスＰを生じた配線が行なわれることがある。６６は直管蛍光ランプ、６７は交流電源である。このようなクロス配線が起こるとランプ不点や、安定器トラブルなど照明器具の基本機能が損なわれる。
【００５１】
また従来例のようなランプソケットの交換ではランプソケット１′の取付作業が面倒であり、数百台になると非常な労力を必要とするのに対して、第７の実施例では作業性が良好になる。
なお、第７の実施例では、溝６２および切起し片６３は器具本体２のソケット台本体６の中心に設けられたが、この溝６２および切起し片６３は器具中心に対して左寄りに位置してもよい。
【００５２】
またこの発明において、直管状ランプは片口金ランプでもよい。
【００５３】
【発明の効果】
請求項１の照明器具によれば、１灯用ソケット台の両側に１灯用ソケット台側に傾いた姿勢で一対の２灯用ソケット台を設けたため、これらに選択的にランプソケットを取付けることにより、器具本体の幅が狭くても１灯用ソケット台と２灯用ソケット台とを相干渉することなく２灯の増灯が可能となる。しかも２灯用ソケット台にランプソケットを取付け、直管ランプ状を装着すると直管状ランプは相接近するので、ランプ間隔が狭くなり意匠上も好ましいという効果がある。
【００５４】
請求項２の照明器具によれば、ランプソケットを取付けたソケット台を１灯用位置と２灯用位置との間を移動可能となるように取付けた第１の取付部を有するとともにランプソケットを取付ける第２の取付部を有するため、器具本体の幅が狭くても２灯に増灯することが可能となり、意匠上も好ましくなる。
請求項３の照明器具によれば、ソケット台を着脱自在に取付ける第１の取付部と、ランプソケットを第１の取付部に取付けた場合のランプソケットの位置に、第２の取付部に取付けられたランプソケットの一部が重なるように第１の取付部の両側に設けられる第２の取付部とを有するため、器具本体の幅が狭くても２灯に増灯することが可能となり、意匠上も好ましくなる。
【図面の簡単な説明】
【図１】この発明の第１の実施例の説明図である。
【図２】ソケット台本体の斜視図である。
【図３】１灯使用状態の照明器具の断面図である。
【図４】２灯使用状態の照明器具の断面図である。
【図５】ソケット台本体の平面図である。
【図６】図５の右側面図である。
【図７】図５の左側面図である。
【図８】第２の実施例の１灯使用状態の照明器具の断面図である。
【図９】その２灯使用状態の照明器具の断面図である。
【図１０】ソケット台を１灯用位置に取付ける手順を示す説明図である。
【図１１】ソケット台を２灯用位置に取付ける手順を示す説明図である。
【図１２】第３の実施例の１灯使用状態の照明器具の断面図である。
【図１３】その２灯使用状態の照明器具の断面図である。
【図１４】ソケット台を１灯使用状態から外す手順を示す説明図である。
【図１５】ソケット台を２灯使用状態に取付ける手順を示す説明図である。
【図１６】変形例のソケット台の取付前の状態の斜視図である。
【図１７】第４の実施例の１灯使用状態の照明器具の断面図である。
【図１８】その２灯使用状態の照明器具の断面図である。
【図１９】保持具の１灯用位置から外す手順を示す説明図である。
【図２０】保持具を２灯用位置に取付ける手順を示す説明図である。
【図２１】第５の実施例の１灯使用状態の照明器具の断面図である。
【図２２】２灯使用状態の照明器具の断面図である。
【図２３】ソケット台の１灯用位置の斜視図である。
【図２４】ソケット台の２灯用位置の斜視図である。
【図２５】第６の実施例の１灯使用状態の照明器具の断面図である。
【図２６】２灯使用状態の照明器具の断面図である。
【図２７】ソケット台の１灯用位置の斜視図である。
【図２８】ソケット台の２灯用位置の斜視図である。
【図２９】第７の実施例のソケット台の１灯使用状態の斜視図である。
【図３０】その分解斜視図である。
【図３１】照明器具の正常な配線図である。
【図３２】クロス配線した場合の配線図である。
【図３３】従来例の要部斜視図である。
【図３４】照明器具の分解斜視図である。
【符号の説明】
１    ランプソケット
２    器具本体
４    １灯用ソケット台
５    ２灯用ソケット台
【図１】
0003590085.tif 000002
【図２】
0003590085.tif 000003
【図３】
0003590085.tif 000004
【図４】
0003590085.tif 000005
【図５】
0003590085.tif 000006
【図６】
0003590085.tif 000007
【図７】
0003590085.tif 000008
【図８】
0003590085.tif 000009
【図９】
0003590085.tif 000010
【図１０】
0003590085.tif 000011
【図１１】
0003590085.tif 000012
【図１２】
0003590085.tif 000013
【図１３】
0003590085.tif 000014
【図１４】
0003590085.tif 000015
【図１５】
0003590085.tif 000016
【図１６】
0003590085.tif 000017
【図１７】
0003590085.tif 000018
【図１８】
0003590085.tif 000019
【図１９】
0003590085.tif 000020
【図２０】
0003590085.tif 000021
【図２１】
0003590085.tif 000022
【図２２】
0003590085.tif 000023
【図２３】
0003590085.tif 000024
【図２４】
0003590085.tif 000025
【図２５】
0003590085.tif 000026
【図２６】
0003590085.tif 000027
【図２７】
0003590085.tif 000028
【図２８】
0003590085.tif 000029
【図２９】
0003590085.tif 000030
【図３０】
0003590085.tif 000031
【図３１】
0003590085.tif 000032
【図３２】
0003590085.tif 000033
【図３３】
0003590085.tif 000034
【図３４】
0003590085.tif 000035